(57)【要約】【課題】ペットが食する餌を入れた食器の高さが調節可能であり、さらに食器の開口面の向きが調節可能なペット用食器台を提供する。【解決手段】床面に置かれる支持部１０と、支持部１０に支持されており、ペットＰが食する餌を入れた食器２を支持する食器支持部５０と、食器支持部５０の高さ位置を支持部１０に対して変更可能とする高さ調節機構４１と、床面に対する食器２の開口面３の向きを変更可能とする向き調節機構４２と、を備え、食器支持部５０は、支持部１０に対して片持ち状に支持されているペット用食器台１は、ペットＰの体格に合わせて食器２の高さや角度を調節できる。【選択図】図１
2018153135.tif 000002
【特許請求の範囲】
【請求項１】
床面に置かれる支持部と、
前記支持部に支持されており、ペットが食する餌を入れた食器を支持する食器支持部と、
前記食器支持部の高さ位置を前記支持部に対して変更可能とする高さ調節機構と、
前記床面に対する前記食器の開口面の向きを変更可能とする向き調節機構と、
を備え、
前記食器支持部は、前記支持部に対して片持ち状に支持されている
ことを特徴とするペット用食器台。
【請求項２】
前記食器支持部には前後方向が定められており、前記食器支持部の前側が前記餌を食するペットに臨む側であり、前記食器支持部の後側の端部が前記支持部に対して片持ち状に支持されている
請求項１に記載のペット用食器台。
【請求項３】
前記食器支持部が前記支持部に支持されている状態で、前記支持部のうち前記食器支持部よりも上方に位置する部分におけるペットに臨む側の面は、上方に向かうに従って前記ペットに臨む側とは反対側に傾斜する傾斜面で構成されている
請求項２に記載のペット用食器台。
【請求項４】
前記食器支持部には、食器が置かれる食器配置部が定められており、
前記支持部の前記ペットに臨む側となる先端が、前記食器支持部の食器配置部に置かれた食器の開口面の中心点を通る床面に向けて延びた垂線と直交する左右方向の仮想基準線よりも前記ペットに臨む側に位置している
請求項２又は請求項３に記載のペット用食器台。
【請求項５】
前記支持部には、前記食器支持部の高さ位置を示す目盛りが設けられている
請求項１乃至請求項４のいずれか１項に記載のペット用食器台。
【請求項６】
前記食器支持部の上面部における中央に、前記食器の底部が挿入される開口部が設けられている
請求項１乃至請求項５のいずれか１項に記載のペット用食器台。
【請求項７】
前記支持部が、上方に向かって延びる柱形状の支持柱部を有しており、かつ前記支持柱部は、上方に向かうに従ってペットに臨む側とは反対側に傾斜しており、さらに、前記食器支持部は、前記支持柱部に片持ち状に支持されている構成であって、
前記食器支持部における、前記支持柱部に片持ち状に支持されている端部には、前記支持柱部が介挿される開口部が設けられており、
前記食器支持部が前記支持柱部に支持されている状態で前記開口部に介挿されている前記支持柱部に、前記開口部の開口縁が当接して前記食器支持部が前記支持柱部に係止される
請求項１乃至請求項６のいずれか１項に記載のペット用食器台。
【請求項８】
前記食器支持部の外周縁部に柵が設けられている
請求項１乃至請求項７のいずれか１項に記載のペット用食器台。
【請求項９】
前記向き調節機構は、前記床面に対する前記食器の開口面の向きを、少なくとも餌を食するペットに向かって傾斜させる方向に変更可能である
請求項１乃至請求項８のいずれか１項に記載のペット用食器台。
【請求項１０】
前記支持部には、
前記食器支持部の高さ変更可能な範囲の下限位置を、当該下限位置で前記食器支持部と当接することで前記床面と前記食器支持部とが非接触となる位置とするストッパー部が設けられている
請求項１乃至請求項９のいずれか１項に記載のペット用食器台。
【請求項１１】
前記向き調節機構は、
前記食器支持部が前記支持部に支持されている状態で前記支持部と当接する、前記食器支持部に設けられた支持部当接面と、
前記食器支持部が前記支持部に支持されている状態で前記食器支持部に当接する、前記支持部に設けられた食器支持部当接面と、
を備え、
前記支持部当接面と前記食器支持部当接面とのうち少なくとも一方の面は、第１の傾斜当接面と、前記支持部当接面と前記食器支持部当接面のうち他方の面に対する傾斜角度が前記第１の傾斜当接面とは異なる第２の傾斜当接面とを有し、
前記食器支持部が前記支持部に支持されている状態で前記第１の傾斜当接面を前記支持部当接面と前記食器支持部当接面とのうちいずれかに当接させる状態と、前記食器支持部が前記支持部に支持されている状態で前記第２の傾斜当接面を前記支持部当接面と前記食器支持部当接面とのうちいずれかに当接させる状態とのうちいずれかを選択して前記支持部に対する前記食器支持部の向きを変更することで、前記床面に対する前記食器の開口面の向きを変更可能としている
請求項１乃至請求項１０のいずれか１項に記載のペット用食器台。
【請求項１２】
前記向き調節機構は、
前記支持部の下端部に設けられており、前記床面に当接して前記床面に対する前記支持部の傾きを変更する支持部角度調節具を備え、
前記床面に対する前記支持部の傾きを変更することで、前記床面に対する前記食器の開口面の向きを変更可能としている
請求項１乃至請求項１１のいずれか１項に記載のペット用食器台。
【請求項１３】
前記向き調節機構は、
前記食器支持部に設けられており、前記食器に当接して前記食器支持部に対する前記食器の傾きを変更する食器角度調節具を備え、
前記食器支持部に対する前記食器の傾きを変更することで、前記床面に対する前記食器の開口面の向きを変更可能としている
請求項１乃至請求項１２のいずれか１項に記載のペット用食器台。
【請求項１４】
請求項１乃至請求項１３のいずれか１項に記載のペット用食器台と、
前記ペットを支持するクッション体と、
を備えたことを特徴とするペット介護用食事セット。
【請求項１５】
前記クッション体には、
前記ペットを支持する高さを調節する高さ調節機構が備えられている
請求項１４に記載のペット介護用食事セット。
【発明の詳細な説明】
【技術分野】
【０００１】
本発明は、主に自立して食事をすることが困難なペットに餌を与える際に用いられるペット用食器台、及びペット介護用食事セットに関する。
【背景技術】
【０００２】
従来から介護が必要なペットのためのペット用食器として、片手で懸吊するとともに食器本体の外面を手の掌で支えるものが提案されている（例えば、特許文献１参照。）。かかる構成は、他方の手でペット（犬）を支えることができる。
【０００３】
また、特許文献２には、ペットの体に合わせて高さ調節が可能なペット用食器台が開示されている。
【０００４】
さらに、特許文献３には、餌皿の角度を調節することのできるペット用食器が開示されている。
【０００５】
なお、犬や猫等の愛玩用四足動物にあっては、立ち上がった状態（立位）で食事をさせることにより誤飲を防止できたり、消化器の機能を妨げることなく長生きさせたりすることができる。
【先行技術文献】
【特許文献】
【０００６】
【特許文献１】特開２００７−１５９４２１号公報
【特許文献２】意匠登録第１５５４１３０号公報
【特許文献３】実用新案登録第３１１８３７０号公報
【発明の概要】
【発明が解決しようとする課題】
【０００７】
しかしながら、上記特許文献１に開示された構成では片手でペットを支えることとなるために、ペットの種類によっては立位を保たせることが困難であった。
【０００８】
また、特許文献２に開示された構成では、食器の高さを調節するために４個の脚の長さを変更しなければならないという点で手間のかかるものであった。
【０００９】
また、特許文献３に開示された構成では、高さの調節ができず、ペットの種類によっては餌皿の開口面の向きを適切に調節できない場合があった。
【００１０】
そこで本発明は、餌を入れた食器の高さが調節可能であり、さらに食器の開口面の向きが調節可能なペット用食器台を提供することを目的とする。
【００１１】
また本発明は、自立が困難なペットが立位で食事することのできるペット介護用食事セットを提供することを目的とする。
【課題を解決するための手段】
【００１２】
本発明は、床面に置かれる支持部と、前記支持部に支持されており、ペットが食する餌を入れた食器を支持する食器支持部と、前記食器支持部の高さ位置を前記支持部に対して変更可能とする高さ調節機構と、前記床面に対する前記食器の開口面の向きを変更可能とする向き調節機構と、を備え、前記食器支持部は、前記支持部に対して片持ち状に支持されていることを特徴とするペット用食器台である。
【００１３】
かかる構成にあっては、体格の異なる複数のペットに対して、個別に最適な食器の高さ及び角度を実現できる。また、前記食器支持部が前記支持部に対して片持ち状に支持されているため、前記高さ調節機構の操作箇所を少なくして高さ調節を簡易なものとすることができる。
【００１４】
なお、本発明における「ペット」とは、主に愛玩動物のうち犬や猫等の四足歩行動物をさす。さらに、単なる愛玩動物に限らず、例えば警察犬や盲導犬等の特殊な訓練を受けた動物が老齢となったものも含む。
【００１５】
また、前記食器支持部には前後方向が定められており、前記食器支持部の前側が前記餌を食するペットに臨む側であり、前記食器支持部の後側の端部が前記支持部に対して片持ち状に支持されている構成が提案される。
【００１６】
かかる構成とすることにより、前記支持部が前記食器支持部よりもペットに対して奥側（後側）に配されるため、食事をするペットの邪魔になることを防止することができる。
【００１７】
さらに、前記食器支持部が前記支持部に支持されている状態で、前記支持部のうち前記食器支持部よりも上方に位置する部分におけるペットに臨む側の面は、上方に向かうに従って前記ペットに臨む側とは反対側に傾斜する傾斜面で構成されているものが提案される。
【００１８】
かかる構成とすることにより、食事をするペットのすぐ眼前に前記支持部が位置することを避けることができるため、ペットに対する圧迫感を和らげることができる。
【００１９】
また、前記食器支持部には、食器が置かれる食器配置部が定められており、前記支持部の前記ペットに臨む側となる先端が、前記食器支持部の食器配置部に置かれた食器の開口面の中心点を通る床面に向けて延びた垂線と直交する左右方向の仮想基準線よりも前記ペットに臨む側に位置している構成が提案される。
【００２０】
かかる構成とすることにより、前記支持部の先端が前記食器の重心よりもペット側に位置するため、例えばペットが前記食器に体重を預けてしまっても、前記ペット用食器台が転倒してしまうことを防止できる。
【００２１】
また、前記支持部には、前記食器支持部の高さ位置を示す目盛りが設けられている構成が提案される。
【００２２】
かかる構成とすることにより、体格の異なるペットに前記ペット用食器台を使用する際に、目盛りを参考にすることができるため、前記食器支持部の高さ調節の作業性が向上する。
【００２３】
また、前記食器支持部の上面部における中央に、前記食器の底部が挿入される開口部が設けられている構成が提案される。
【００２４】
かかる構成とすることにより、簡易な構造で、前記食器を前記食器支持部の上面部における中央に安定して配置することができる。
【００２５】
また、前記支持部が、上方に向かって延びる柱形状の支持柱部を有しており、かつ前記支持柱部は、上方に向かうに従ってペットに臨む側とは反対側に傾斜しており、さらに、前記食器支持部は、前記支持柱部に片持ち状に支持されている構成であって、前記食器支持部における、前記支持柱部に片持ち状に支持されている端部には、前記支持柱部が介挿される開口部が設けられており、前記食器支持部が前記支持柱部に支持されている状態で前記開口部に介挿されている前記支持柱部に、前記開口部の開口縁が当接して前記食器支持部が前記支持柱部に係止される構成が提案される。
【００２６】
かかる構成とすることにより、簡易な構造で、確実に前記支持部に対して前記食器支持部を係止させることができる。このため、意図せず前記食器支持部が前記支持部から落下してしまうことを防止することができる。
【００２７】
また、前記食器支持部の外周縁部に柵が設けられている構成が提案される。
【００２８】
かかる構成とすることにより、前記食器の落下を防止することができる。また、外見から椅子や踏み台として使用されかねないところ、前記柵を設けることによってこのような誤使用を避けることができる。
【００２９】
また、前記向き調節機構は、前記床面に対する前記食器の開口面の向きを、少なくとも餌を食するペットに向かって傾斜させる方向に変更可能である構成が提案される。
【００３０】
かかる構成とすることにより、前記ペット用食器台を使用するペットに対して前記食器内の餌を視認しやすく、かつ食べやすいものとすることができる。
【００３１】
また、前記支持部には、前記食器支持部の高さ変更可能な範囲の下限位置を、当該下限位置で前記食器支持部と当接することで前記床面と前記食器支持部とが非接触となる位置とするストッパー部が設けられている構成が提案される。
【００３２】
かかる構成とすることにより、前記食器支持部が意図せず落下してしまった場合でも、前記食器支持部が床面に衝突してしまうことを防止することができる。これにより、前記食器支持部の下方にペットの前足が置かれていたとしても、ペットの前足に前記食器支持部が衝突して怪我を負わせてしまうような問題が起こることを防止することができる。
【００３３】
また、前記向き調節機構は、前記食器支持部が前記支持部に支持されている状態で前記支持部と当接する、前記食器支持部に設けられた支持部当接面と、前記食器支持部が前記支持部に支持されている状態で前記食器支持部に当接する、前記支持部に設けられた食器支持部当接面と、を備え、前記支持部当接面と前記食器支持部当接面とのうち少なくとも一方の面は、第１の傾斜当接面と、前記支持部当接面と前記食器支持部当接面のうち他方の面に対する傾斜角度が前記第１の傾斜当接面とは異なる第２の傾斜当接面とを有し、前記食器支持部が前記支持部に支持されている状態で前記第１の傾斜当接面を前記支持部当接面と前記食器支持部当接面とのうちいずれかに当接させる状態と、前記食器支持部が前記支持部に支持されている状態で前記第２の傾斜当接面を前記支持部当接面と前記食器支持部当接面とのうちいずれかに当接させる状態とのうちいずれかを選択して前記支持部に対する前記食器支持部の向きを変更することで、前記床面に対する前記食器の開口面の向きを変更可能としている構成が提案される。
【００３４】
かかる構成とすることにより、前記向き調節機構における各傾斜当接面の傾斜角度を適宜定めておくことで、前記食器の開口面の向きを所望の角度に変更することができる。
【００３５】
また、前記向き調節機構は、前記支持部の下端部に設けられており、前記床面に当接して前記床面に対する前記支持部の傾きを変更する支持部角度調節具を備え、前記床面に対する前記支持部の傾きを変更することで、前記床面に対する前記食器の開口面の向きを変更可能としている構成が提案される。
【００３６】
かかる構成とすることにより、前記支持部の傾きを変更するだけで前記食器の開口面の向きを変更することができる。
【００３７】
また、前記向き調節機構は、前記食器支持部に設けられており、前記食器に当接して前記食器支持部に対する前記食器の傾きを変更する食器角度調節具を備え、前記食器支持部に対する前記食器の傾きを変更することで、前記床面に対する前記食器の開口面の向きを変更可能としている構成が提案される。
【００３８】
かかる構成とすることにより、調節された前記食器角度調節具に前記食器を当接することで食器の向きを適切な方向に変更することができる。
【００３９】
また本発明は、上記のペット用食器台と、前記ペットを支持するクッション体と、を備えたことを特徴とするペット介護用食事セットである。
【００４０】
かかる構成にあっては、立位を維持することが困難なペットに対して、適切な姿勢で食事をさせることができる。
【００４１】
また、前記クッション体には、前記ペットを支持する高さを調節する高さ調節機構が備えられている構成が提案される。
【００４２】
かかる構成とすることにより、種々の体格のペットに対応可能なペット介護用食事セットを提供することができる。
【発明の効果】
【００４３】
本発明のペット用食器台は、体格の異なる複数のペットに対して、個別に最適な食器の高さ及び角度を実現できる効果がある。また、前記食器支持部が前記支持部に対して片持ち状に支持されているため、前記高さ調節機構の操作箇所を少なくして高さ調節を簡易なものとすることができる効果がある。
【００４４】
また本発明のペット介護用食事セットは、立位を維持することが困難なペットに対して、適切な姿勢で食事をさせることができる効果がある。
【図面の簡単な説明】
【００４５】
【図１】実施例１にかかるペット用食器台の斜視図である。
【図２】（ａ）は固定部の部分拡大側面図であり、（ｂ）は固定部の背面図であり、（ｃ）はアジャスター部の側面図であり、（ｄ）はアジャスター部の正面図である。
【図３】実施例１にかかるペット用食器台を分解して示す説明図である。
【図４】実施例１にかかるペット用食器台を示し、（ａ）は平面図であり、（ｂ）は正面図であり、（ｃ）は右側面図である。
【図５】（ａ）は図４（ｂ）におけるＡ−Ａ線部分拡大断面図であり、（ｂ）は図４（ｂ）におけるＢ−Ｂ線部分拡大端面図である。
【図６】実施例１にかかるペット用食器台において食器台部を傾けた状態を示す右側面図である。
【図７】実施例１にかかるペット用食器台において食器台部を傾けた状態を示し、（ａ）は図５（ｂ）に対応する部分拡大端面図であり、（ｂ）は図５（ａ）に対応する部分拡大断面図である。
【図８】実施例１にかかるペット用食器台において食器支持部を下限まで下げた状態を示す部分断面右側面図である。
【図９】実施例１にかかるペット介護用食事セットの使用状態を示す説明図である。
【図１０】実施例１にかかるペット介護用食事セットの配置態様を示す説明図である。
【図１１】実施例１にかかるペット用食器台セットを示す説明図である。
【図１２】実施例２にかかるペット用食器台の斜視図である。
【図１３】実施例３にかかるペット用食器台の斜視図である。
【図１４】実施例３にかかるペット用食器台を示し、（ａ）は右側面図であり、（ｂ）は部分拡大断面図である。
【図１５】実施例４にかかるペット用食器台の斜視図である。
【図１６】実施例４にかかるペット用食器台を示し、（ａ）は右側面図であり、（ｂ）は部分拡大断面図である。
【図１７】実施例５にかかるペット用食器台を示し、（ａ）は斜視図であり、（ｂ）は右側面図である。
【図１８】実施例６にかかるペット用食器台を示し、（ａ）は斜視図であり、（ｂ）は右側面図である。
【発明を実施するための形態】
【００４６】
以下、本発明のペット用食器台及びペット介護用食事セットを具体化した実施例を詳細に説明する。なお、本発明は、下記に示す実施例に限定されることはなく、適宜設計変更が可能である。また、ペット用食器台において、当該ペット用食器台を使用するペット（餌を食するペット）に臨む側を前側とし、ペットに臨む側とは反対側を後側として説明する。
【００４７】
〔実施例１〕
図１等に示したように、ペット用食器台１は、床面に置かれる支持部１０と、支持部１０に片持ち状に支持されており、餌を入れた食器２を支持する食器支持部５０と、を備えている。
【００４８】
まず、支持部１０について説明する。
支持部１０は、床面に接触した前後方向に延びる長尺部材からなる左右一対の脚部１１，１１と、左右一対の脚部１１，１１の前端部を繋ぐように左右方向に差し渡された補強部１２と、左右一対の脚部１１，１１の後端部を繋ぐように左右方向に差し渡された柱基部１５と、柱基部１５から上方に向かって延びる柱形状の支持柱部２０と、を有している。
【００４９】
支持柱部２０は、下端が柱基部１５に固定された上で上方へ向かって延びる左右一対の柱板部２１，２１からなる。さらに、左右一対の柱板部２１，２１間には、それぞれ円板形状の下ストッパー部２５と上ストッパー部２６とが固定されている。
【００５０】
また、支持柱部２０は、図４（ｃ）に示すように、柱板部２１の前面３２Ａとは反対側の面である後面３２Ｂが、前面３２Ａと平行な面とされており、加えて支持柱部２０全体が上方に向かうに従ってペットＰに臨む側（前側）とは反対側である後側に傾斜している。すなわち、柱板部２１における前面３２Ａは、上方に向かうに従ってペットＰに臨む側とは反対側に傾斜する傾斜面で構成されている。
【００５１】
なお、上述の前面３２Ａ及び後面３２Ｂは、食器支持部５０が支持部１０の支持柱部２０に支持されている状態で、食器支持部５０に当接する食器支持部当接面３１となる。食器支持部当接面３１については、後で述べる。
【００５２】
次に、食器支持部５０について説明する。
食器支持部５０は、平板形状の食器台部５１と、食器台部５１の後端部の中央下側に固定された固定部６０（図２，３参照）とを備えている。ここで、食器台部５１の上面部５２における中央には、食器２の底部が挿入されることによって食器２が置かれる食器配置部としての開口部５３が板厚方向に貫通状に設けられている。
【００５３】
また、固定部６０には、図２（ａ），（ｂ）に示すように、食器支持部５０が支持部１０に支持されている状態で、柱板部２１の前面３２Ａと当接する支持部当接面６１を備えている。そしてさらに、固定部６０の支持部当接面６１には、所定の傾斜角度を有して後側を向いた左右一対の第１傾斜当接面６２Ａと、柱板部２１の前面３２Ａに対する傾斜角度が第１傾斜当接面６２Ａとは角度θだけ異なる左右一対の第２傾斜当接面６２Ｂとを有している。
【００５４】
また、固定部６０には、食器台部５１から離れる方向へ突出した突出部６５が形成されており、突出部６５の後側を向いた面には、第１ネジ孔６６及び第２ネジ孔６７が設けられている。具体的には、第１ネジ孔６６は、第１傾斜当接面６２Ａに対して垂直な方向に沿って形成されており、第２ネジ孔６７は、第２傾斜当接面６２Ｂに対して垂直な方向に沿って形成されている。
【００５５】
また食器支持部５０は、図２（ｃ），（ｄ）及び図３に示すように、ブロック形状の部材からなるアジャスター部７０を備えている。アジャスター部７０は、食器支持部５０が支持部１０の支持柱部２０に支持されている状態で、左右一対の柱板部２１，２１のそれぞれの後面３２Ｂ，３２Ｂに当接する一対の固定面７１，７１を有している。また、一対の固定面７１，７１の間には、固定面７１を含む面に直交する方向に貫かれた貫通孔７５が形成されている。
【００５６】
次に、ペット用食器台１の組立態様を説明する。
図３に示すように、一対の脚部１１，１１間に、補強部１２と、支持柱部２０が組み付けられた柱基部１５とを配置した上で相互をネジ止めして支持部１０とする。これと共に、支持柱部２０の前側に固定部６０を有した食器台部５１を配置し、かつ支持柱部２０の後側にアジャスター部７０を配置し、さらに固定部６０の突出部６５が柱板部２１，２１間に挿入された状態で当該固定部６０とアジャスター部７０とを固定ネジ８０で接続して支持柱部２０に固定する。
【００５７】
ここで、図４（ａ），（ｃ）に示すように、食器支持部５０が支持部１０の支持柱部２０に支持されている状態では、支持部１０のペットＰに臨む側である脚部１１の先端（脚部１１の前側の先端）は、食器支持部５０の開口部５３に置かれた食器２の開口面３の中心点を通る床面に向けて延びた垂線Ｊと直交する左右方向の仮想基準線ＫよりもペットＰに臨む側である前側に位置している。
【００５８】
さらに固定部６０について詳述すると、図５（ａ）に示すように、固定部６０とアジャスター部７０とが、支持柱部２０における一対の柱板部２１，２１間を固定ネジ８０のネジ部８１が挿通する態様で支持柱部２０を前後から挟むようにして接合されている。これにより、食器支持部５０の後側の端部が支持部１０に対して片持ち状に支持される。
【００５９】
ここで、図４（ｃ）に示すように、食器台部５１の上面部５２が床面と平行となる状態で使用する場合は、図５（ｂ）に示すように、柱板部２１の前面３２Ａと固定部６０の第１傾斜当接面６２Ａとを当接させ、かつ、柱板部２１の後面３２Ｂとアジャスター部７０の固定面７１とを当接させる状態とする。そして、固定ネジ８０のネジ部８１を第１ネジ孔６６に螺入し、柱板部２１を固定部６０とアジャスター部７０とで挟み込んで相互を固定することで、食器支持部５０が支持部１０に対して片持ち状に支持される。
【００６０】
また、ペット用食器台１は、図６に示すように、床面に対する食器２の開口面３の向きを、少なくとも餌を食するペットＰに向かって傾斜させる方向に変更可能である。
【００６１】
詳述すると、図７（ａ）に示すように、柱板部２１の前面３２Ａと固定部６０の第２傾斜当接面６２Ｂとを当接させ、かつ、柱板部２１の後面３２Ｂとアジャスター部７０の固定面７１とを当接させる状態とし、図７（ｂ）に示すように、固定ネジ８０のネジ部８１を第２ネジ孔６７に螺入して、柱板部２１を固定部６０とアジャスター部７０とで挟み込んで固定する。そうすると、固定部６０の第１傾斜当接面６２Ａと柱板部２１の前面３２Ａとを当接した場合よりも食器台部５１の上面部５２が角度θだけ前側に傾いた状態となる。
【００６２】
このように、本実施例のペット用食器台１は、床面に対する食器２の開口面３の向きを、餌を食するペットＰに向かって傾斜させる方向に変更可能である。
【００６３】
このように、食器支持部５０が支持部１０に支持されている状態で第１傾斜当接面６２Ａを柱板部２１の前面３２Ａに当接させる状態と、食器支持部５０が支持部１０に支持されている状態で第２傾斜当接面６２Ｂを前面３２Ａに当接させる状態とのうちいずれかを選択して支持部１０に対する食器支持部５０の向きを変更することで、床面に対する食器２の開口面３の向きを変更可能としている。
【００６４】
なお、柱板部２１の前面３２Ａ、並びに固定部６０の第１傾斜当接面６２Ａ及び第２傾斜当接面６２Ｂによって、床面に対する食器２の開口面３の向きを変更可能とする向き調節機構４２が構成されている。
【００６５】
また、食器支持部５０の高さ位置を支持部１０に対して変更する場合には、固定ネジ８０を緩めて食器支持部５０の固定部６０とアジャスター部７０の支持柱部２０に対する締め付けを解除したのち、所望の位置まで食器支持部５０を支持部１０に対して移動した後、再度固定ネジ８０を締め付ければよい。
【００６６】
なお、柱板部２１、固定部６０、アジャスター部７０、及び固定ネジ８０によって、食器支持部５０の高さ位置を支持部１０に対して変更可能とする高さ調節機構４１が構成される。
【００６７】
ところで、支持柱部２０に片持ち状に支持されている食器支持部５０には、支持柱部２０が介挿される開口部９０が設けられているため、食器支持部５０が支持柱部２０に支持されている状態で開口部９０に介挿されている支持柱部２０に、開口部９０の開口縁が当接して食器支持部５０が支持柱部２０に係止されている。
【００６８】
ここで万が一、固定ネジ８０を緩めすぎて食器支持部５０が支持部１０の支持柱部２０から落下してしまった場合であっても、図８に示すように、支持柱部２０の下ストッパー部２５に食器支持部５０の一部（アジャスター部７０）が当接してこの位置が食器支持部５０の下限位置となり、これ以上の食器支持部５０の落下を防止する。食器支持部５０が下ストッパー部２５に当接するまで食器支持部５０を下げた場合にあっても、食器支持部５０と床面とは非接触であり、ペットＰの足等が挟まれることを防止することができる。
【００６９】
以下、本実施例のペット用食器台１の利点を記載する。
【００７０】
本実施例のペット用食器台１は、体格の異なる複数のペットＰに対して、個別に最適な食器２の高さ及び角度を実現できる。また、食器支持部５０が支持部１０に対して片持ち状に支持されているので、高さ調節の操作箇所を少なくすることができる。すなわち、単一の固定ネジ８０を緩めたり締めたりするだけで高さ調節をすることができる。
【００７１】
支持部１０が食器支持部５０の後側の端部に位置するため、支持部１０が、前側から食事をするペットＰの邪魔になることがない。
【００７２】
食器支持部５０よりも上側に突出する支持柱部２０が、上方に向かうに従って後側へ傾斜しているため、前側から顔を出して食事をするペットＰに与える圧迫感を和らげることができる。
【００７３】
食器支持部５０に配置された食器２の中心よりも支持部１０の前側端がペットＰ側に位置しているため、ペット用食器台１全体の安定性がよく、食器２にペットＰが体重をかけてもペット用食器台１が転倒してしまうことを防止することができる。
【００７４】
食器支持部５０に孔状の開口部５３を設けることによって食器２を安定して配置することができる。
【００７５】
支持柱部２０が、上方に向かうに従って後側へ傾斜しており、支持柱部２０が食器支持部５０に設けられた開口部９０に介挿され、支持柱部２０に開口部９０の開口縁が当接する構成となっているため、食器支持部５０が意図せず落下することを防止することができる。
【００７６】
向き調節機構４２が、床面に対する食器２の開口面３の向きを、餌を食するペットＰに向かって傾斜させる方向に変更可能であるため、ペットＰが食器２内を視認しやすく、また餌を食べやすい。
【００７７】
下ストッパー部２５が設けられていることで、万が一食器支持部５０が落下してしまったとしても食器支持部５０と床面とが衝突することを回避でき、怪我等を防ぐことができる。
【００７８】
第１傾斜当接面６２Ａ、及び第２傾斜当接面６２Ｂを形成することで、食器２の開口面３の向きを適宜変更してペットＰに最適な食事環境を提供することができる。
【００７９】
また、図９に示すように、ペット用食器台１と、ペットＰを立位で支持する高さ調節機構を備えたクッション体５とを備えるペット介護用食事セット４０を用いることによって、立位で食事をすることが困難な要介護ペットＰに安定した姿勢で食事をさせることができる。
【００８０】
ここで、食器支持部５０が支持部１０に支持された状態で食器支持部５０の下方が開放されている。このため、ペットＰが前足を置き易い。また、ペットＰを支持するクッション体５をできる限り近づけて配置することもできる。例えば、図１０に示すように、ペット介護用食事セット４０は、食器支持部５０の下方にクッション体５の一部を入り込ませて使用することもできる。
【００８１】
なお、クッション体５の高さ調節機構としては、特に限定されないが、例えば下部にねじ込み式の脚部を設けて脚部のねじ込み量によって高さを調節するものが提案される。
【００８２】
また、ペット用食器台１は、食器支持部５０の食器台部５１を１種類とするのではなく、図１１に示すように、２個の食器２を置くことのできる食器台部９５，９６や、大きさの異なる食器２にも対応した食器台部９７等を適宜選択可能なペット用食器台セット１００としてもよい。
【００８３】
また実施例１において、支持部１０の構成は本発明の主旨を逸脱しない範囲で特に限定されない。例えば脚部１１は、図１に示すような形状とする必要はない。
【００８４】
また、本発明において支持柱部２０は上方に向かって後方傾斜している必要はない。また、柱板部２１は左右一対設けられている必要はなく、例えば１本の柱部材で構成されていても構わない。
【００８５】
また、単一の支持部１０に対して２以上の食器支持部５０を取り付け可能としてもよい。
【００８６】
また、開口部５３は食器２を安定して置くことができるのであれば貫通状の孔で構成される必要はない。
【００８７】
また、傾斜当接面６２Ａ，６２Ｂは２個に限定されず、３個以上設けられて多段階とされていてもよい。また、傾斜当接面６２Ａ，６２Ｂは、固定部６０側に形成されていてもよいし、支持柱部２０側に形成されていてもよい。
【００８８】
また、食器支持部５０の固定方法は固定ネジ８０による螺着構造によるものに限定されず、例えば支持柱部２０の上下方向に所定間隔でピン孔を複数設け、ピンをコイルスプリング等による付勢力を用いてピン孔に差し込む構造によって食器支持部５０を支持柱部２０に高さ変更可能に固定するようにしてもよい。
【００８９】
また、支持部１０と食器支持部５０との当接部位は、摩擦抵抗を高くするために凹凸を形成して粗面処理がなされていてもよい。
【００９０】
〔実施例２〕
実施例２のペット用食器台２０１を図１２に従って説明する。なお、実施例１と同様の構成を有するものは同じ符号を付し、説明を省略する。
【００９１】
図１２に示すように、ペット用食器台２０１は、実施例１の支持部１０とは異なり、補強部１２がない支持部２１０を備えている。
【００９２】
また、食器支持部２５０の食器台部２５１の上面部２５２には、食器２の底部が挿入される開口部が設けられておらず、代わりに外縁部の上側に柵２５５が設けられている。
【００９３】
なお、例えば高さ調節機構４１や向き調節機構４２は実施例１と同様のものが採用されている。
【００９４】
かかるペット用食器台２０１にあっては、柵２５５によって食器支持部２５０に載置される食器２の落下を防止することができる。また、椅子と間違えて人が座ってしまったり、踏み台と間違えて人が足を乗せたりするような誤使用を避けることができる。
【００９５】
また実施例２において、柵２５５の形状は図示したものに限定されず、食器台部２５１の上面部２５２の外周縁部に連続しているか又は断続的な壁状のものを立設しても構わない。
【００９６】
〔実施例３〕
実施例３のペット用食器台３０１を図１３，図１４に従って説明する。
【００９７】
図１３，図１４（ａ）に示すように、ペット用食器台３０１の支持部３１０は、前側が開放された平面視コの字形状の柱基部３１５と、柱基部３１５の下端部の４隅に配置され床面に接触するねじ込み式の脚部３１１と、柱基部３１５の中央後部から上方へ向かって延びる柱形状の支持柱部３２０と、を有している。
【００９８】
支持柱部３２０は、上方に向かうに従ってペットＰに臨む側（前側）とは反対側である後側に傾斜している。すなわち、支持柱部３２０におけるペットＰに臨む側の面である前面３３１は、全体的に上方に向かうに従ってペットＰに臨む側とは反対側である後側に傾斜する傾斜面で構成されている。また、支持柱部３２０の前面３３１とは反対側の面である後面３３２は、前面３３１とは平行な面とされている。
【００９９】
また、支持柱部３２０に支持され、餌を入れた食器２を支持する食器支持部３５０は、略円形状の平板からなる食器台部３５１を有している。さらに、食器台部３５１の上面部３５２における中央には、食器２の底部が挿入されることによって食器２が置かれる食器配置部である開口部３５３が板厚方向に貫通状に設けられている。
【０１００】
また、図１４（ｂ）に示すように、食器支持部３５０の後端部には、支持柱部３２０が介挿される断面矩形の開口部３９０が板厚方向に貫通状に設けられている。
【０１０１】
本実施例のペット用食器台３０１は、略円形平板形状の食器支持部３５０の後端部が、支持柱部３２０に支持されている構成であって、開口部３９０に介挿されている支持柱部３２０に、開口部３９０の開口縁３９１，３９２が当接して食器支持部３５０が支持柱部３２０に係止されている。
【０１０２】
さらに詳述すると、図１４（ｂ）に示すように、食器支持部３５０の開口部３９０の前後方向の内寸は支持柱部３２０の前後方向の外寸よりも大きくなっており、開口部３９０の前側の下端の開口縁３９１が支持柱部３２０の前面３３１に当接すると共に、開口部３９０の後側の上端の開口縁３９２が支持柱部３２０の後面３３２に当接し、この２箇所の当接によって食器支持部３５０の後側の端部が支持柱部３２０に対して片持ち状に支持されている。
【０１０３】
ここで、食器支持部３５０の支持柱部３２０に対する高さ位置を調節する際には、食器支持部３５０の前側を少し浮かすことで支持柱部３２０と開口部３９０との係止状態を解除し、適当な高さのところで再度開口部３９０の開口縁３９１，３９２を支持柱部３２０に係止させればよい。
【０１０４】
なお、支持柱部３２０と開口部３９０とによって高さ調節機構３４１が構成されている。
【０１０５】
また、食器２の開口面３の向きを調節したい場合には、支持部３１０の下端部に設けられている前側又は後側の脚部３１１のねじ込み量を変更させて脚部３１１の突出量を変化させればよい。これにより、支持部３１０の傾きが変更可能となる。なお、脚部３１１が支持部角度調節具であり、これによって向き調節機構３４２が構成されている。
【０１０６】
本実施例のペット用食器台３０１に特有の利点を以下に記載する。
【０１０７】
支持柱部３２０が、上方に向かうに従って後側へ傾斜しており、支持柱部３２０が食器支持部３５０に設けられた開口部３９０に介挿され、支持柱部３２０に開口部３９０の開口縁３９１，３９２が当接する構成とすることによって、食器支持部３５０が意図せず落下することを防止することができる。
【０１０８】
向き調節機構３４２によって、床面に対する食器２の開口面３の向きを、餌を食するペットＰに向かって傾斜させる方向に変更すると、ペットＰが食器２内を視認しやすくなるし、餌を食べやすくすることができる。
【０１０９】
実施例３において、柱基部３１５の形状は特に限定されない。支持柱部３２０及び開口部３９０の寸法形状も適宜自由に選択可能である。また、支持柱部３２０は上方に向かうに従って後側へ傾斜している必要はなく、鉛直上方へ向かって直立していても構わない。
【０１１０】
〔実施例４〕
実施例４のペット用食器台４０１を図１５，図１６に従って説明する。
【０１１１】
図１５，図１６（ａ）に示すように、ペット用食器台４０１の支持部４１０は、略矩形平板形状の柱基部４１５と、柱基部４１５の下端部の４隅に配置され床面に接触するねじ込み式の脚部４１１と、柱基部４１５の前端部から上方へ向かって延びる柱形状の支持柱部４２０と、を有している。具体的に支持柱部４２０は、断面円形のパイプ材からなる左右一対の丸柱部４２２同士が上端部で湾曲して繋がって全体として逆Ｕ字形状をなしている。
【０１１２】
また、支持柱部４２０は、上方に向かうに従ってペットＰに臨む側（前側）とは反対側である後側に傾斜している。すなわち、支持柱部４２０におけるペットＰに臨む側の面である前面４３１は、全体的に上方に向かうに従ってペットＰに臨む側とは反対側である後側に傾斜する傾斜面で構成されている。
【０１１３】
また、支持柱部４２０に支持され、餌を入れた食器２を支持する食器支持部４５０は、断面円形状のパイプ材からなり、平面視で前側が閉じた略Ｕ字形状をなし、前側端部に食器配置部４５１を有している。そして、食器配置部４５１の中央が、食器２の底部が挿入される開口部４５３とされている。また、食器配置部４５１の後端側には、凹部４６３，４６３を形成している固定部４６０が接合されている。なお、凹部４６３，４６３は、丸柱部４２２に対応する部分が当該丸柱部４２２の表面形状に対応して窪んだ形状となっている。
【０１１４】
また、図１６（ｂ）に示すように、支持柱部４２０を基準として固定部４６０とは反対側の位置には、丸柱部４２２の表面形状に対応して窪んだ凹部４７３，４７３を有するアジャスター部４７０が備えられている。
【０１１５】
ここで、固定部４６０及びアジャスター部４７０には、図１６（ｂ）に示すように、支持柱部４２０を挟んだ状態でボルト４８２及びナット４８３により互いに固定することができる。そして、固定部４６０とアジャスター部４７０とを支持柱部４２０の所望の位置で固定することにより、支持柱部４２０に食器支持部４５０を所望の位置で固定することができる。
【０１１６】
ここで、食器支持部４５０の支持柱部４２０に対する高さ位置を調節する際には、ボルト４８２及びナット４８３を緩めて支持柱部４２０に対する固定部４６０とアジャスター部４７０の挟持状態を解除し、適当な高さのところで再度ボルト４８２及びナット４８３によって支持柱部４２０に対して固定部４６０とアジャスター部４７０とで固定すればよい。
【０１１７】
なお、支持柱部４２０、固定部４６０、及びアジャスター部４７０によって高さ調節機構４４１が構成されている。
【０１１８】
また、食器２の開口面３の向きを調節したい場合には、支持部４１０の下端部に設けられている前側又は後側の脚部４１１のねじ込み量を変動させて脚部４１１の突出量を変化させればよい。これにより、支持部４１０の傾きを変更することができる。なお、脚部４１１が支持部角度調節具であり、これによって向き調節機構４４２が構成されている。
【０１１９】
〔実施例５〕
実施例５のペット用食器台５０１を図１７に従って説明する。
【０１２０】
図１７に示すように、ペット用食器台５０１の支持部５１０は、前側が閉じた平面視コの字形状の柱基部５１５と、柱基部５１５の下端部の４隅に配置され床面に接触するねじ込み式の脚部５１１と、柱基部５１５の前端部から上方へ向かって延びる四角パイプ形状の支持柱部５２０と、を有している。
【０１２１】
また、支持柱部５２０に支持され、餌を入れた食器２を支持する食器支持部５５０は、平板形状の食器台部５５１と、食器台部５５１の前端部の中央下側に固定され、下方に向かって延びる四角パイプ形状の固定部５６０を備えている。さらに、食器台部５５１の上面部５５２における中央には、食器２が置かれる食器配置部としての開口部５５３が板厚方向に貫通状に設けられている。
【０１２２】
そして、食器支持部５５０の固定部５６０が、支持部５１０の支持柱部５２０に入れ子状に入り込み、支持柱部５２０に貫通状に設けられた固定ネジ５８０によって支持柱部５２０に対して固定部５６０が固定される。なお、食器支持部５５０の高さ調節は、支持柱部５２０内に入り込む固定部５６０の長さを調節することによって行われる。なお、この支持柱部５２０及び固定部５６０によって高さ調節機構５４１が構成されている。
【０１２３】
また、食器２の開口面３の向きを調節したい場合には、支持部５１０の下端部に設けられている前側又は後側にある脚部５１１のねじ込み量を変動させて支持部５１０の傾きを変更させればよい。なお、脚部５１１が支持部角度調節具であり、これによって向き調節機構５４２が構成されている。
【０１２４】
〔実施例６〕
実施例６のペット用食器台６０１を図１８に従って説明する。
【０１２５】
図１８に示すように、ペット用食器台６０１の支持部６１０は、略矩形平板形状の柱基部６１５と、柱基部６１５の下端部の４隅に配置され床面に接触するねじ込み式の脚部６１１と、柱基部６１５の前端部から上方へ向かって延びる板形状の支持柱部６２０と、を有している。また、支持柱部６２０の中央には、上下方向に延び、かつ前後方向に貫通した長孔６２３が形成されている。
【０１２６】
また、ペット用食器台６０１は、餌を入れた食器２を支持する食器支持部６５０を備えており、支持柱部６２０に支持されている。また、食器支持部６５０は、支持柱部６２０の前面６３１を被覆するように重ねて配置された、板形状の固定部６６０と、固定部６６０の上端から、湾曲して上方へ向かうに従って後側へ延びる板形状の食器台部６５１を備えている。
【０１２７】
また、固定部６６０には板厚方向に貫通する固定ネジ６８０が取り付けられており、固定ネジ６８０が長孔６２３に挿通されている。
【０１２８】
そして、固定ネジ６８０を締め付けることで固定部６６０が支持柱部６２０に対して片持ち状に支持されている。
【０１２９】
さらに、食器台部６５１の上面部６５２における中央には、食器２が置かれる食器配置部としての開口部６５３が設けられている。また、開口部６５３の後側には食器角度調節具である食器角度調節ネジ６８５が上面部６５２からの突出量を変更自在にネジ止めされている。
【０１３０】
ここで、食器支持部６５０の支持柱部６２０に対する高さ位置を調節する際には、固定ネジ６８０を緩めて支持柱部６２０と固定部６６０との固定状態を解除し、適当な高さのところで再度固定ネジ６８０を締め付けて支持柱部６２０と固定部６６０とを移動不能とすればよい。なお、支持柱部６２０、及び固定部６６０によって高さ調節機構６４１が構成されている。
【０１３１】
また、食器２の開口面３の向きを調節したい場合には、支持部６１０の下端部に設けられている前側又は後側の２個の脚部６１１のねじ込み量を変動させて支持部６１０の傾きを変更させればよい。なお、脚部６１１が支持部角度調節具であり、これによって向き調節機構６４２が構成されている。
【０１３２】
また、食器角度調節ネジ６８５に食器２の外縁部を当接させた上で、食器角度調節ネジ６８５の突出量を変化させることにより、食器支持部６５０に対する食器２の傾きを変更して床面に対する食器２の開口面３の向きを適宜変更可能である。なお、食器角度調節ネジ６８５によって向き調節機構６４３が構成されている。
【０１３３】
本実施例のペット用食器台６０１に特有の利点を以下に記載する。
【０１３４】
食器角度調節ネジ６８５によって食器２の角度を変更するだけで食器２の開口面３の向きを変更することができる。
【０１３５】
上記した実施例１〜６に記載したもの以外にも、例えば支持柱部等に食器支持部の高さ位置を示す目盛りを設けると、体格の異なる複数のペットＰに使用する際に、目盛りが参考となって食器支持部の高さ調節の作業負担が軽減される。また、例えば床面に接触している部位にゴムシート等の摩擦抵抗の大きなものを貼着することで、ペット用食器台を滑りにくいものとすることができる。また、各部材に使用される材料も特に限定されない。
【符号の説明】
【０１３６】
１，２０１，３０１，４０１，５０１，６０１      ペット用食器台
２                                              食器
３                                              開口面
５                                              クッション体
１０，２１０，３１０，４１０，５１０，６１０    支持部
２０，３２０，４２０，５２０，６２０            支持柱部
２５                                            下ストッパー部（ストッパー部）
３１                                            食器支持部当接面
４０                                            ペット介護用食事セット
４１，３４１，４４１，５４１，６４１            高さ調節機構
４２，３４２，４４２，５４２，６４２，６４３    向き調節機構
５０，２５０，３５０，４５０，５５０，６５０    食器支持部
５３，３５３，４５３，５５３，６５３            開口部（食器配置部）
６１                                            支持部当接面
６２Ａ                                          第１傾斜当接面（第１の傾斜当接面）
６２Ｂ                                          第２傾斜当接面（第２の傾斜当接面）
９０，３９０                                    開口部
２５５                                          柵
３９１，３９２                                  開口縁
４５１                                          食器配置部
Ｊ                                              垂線
Ｋ                                              仮想基準線
Ｐ                                              ペット
【図１】
2018153135.tif 000003
【図２】
2018153135.tif 000004
【図３】
2018153135.tif 000005
【図４】
2018153135.tif 000006
【図５】
2018153135.tif 000007
【図６】
2018153135.tif 000008
【図７】
2018153135.tif 000009
【図８】
2018153135.tif 000010
【図９】
2018153135.tif 000011
【図１０】
2018153135.tif 000012
【図１１】
2018153135.tif 000013
【図１２】
2018153135.tif 000014
【図１３】
2018153135.tif 000015
【図１４】
2018153135.tif 000016
【図１５】
2018153135.tif 000017
【図１６】
2018153135.tif 000018
【図１７】
2018153135.tif 000019
【図１８】
2018153135.tif 000020